(57)【要約】【課題】側板に取り付けられたかご内部品の悪戯等による取り外しを阻止することができるエレベータの乗かごの提供。【解決手段】本発明は、開口部３ａを有する側板３と、この側板３に取り付けられるかご内部品、例えば荷摺り５とを備え、荷摺り５は、この荷摺り５の裏側に配置され、開口部３ａから側板３の裏側に向って挿入されて側板３部分に係止される係止ばね５ａを有するエレベータの乗かごにおいて、荷摺り５の裏側に設けられ、係止ばね５ａが取り付けられる取り付け部材５ｂを備え、開口部３ａの高さ寸法を取り付け部材５ｂの高さ寸法よりも大きく設定し、取り付け部材５ｂの厚さ寸法ｔ５を側板３の厚さ寸法ｔ３よりも大きく設定してある。【選択図】図６
2015137172.tif 000002
【特許請求の範囲】
【請求項１】
開口部を有する側板と、前記側板に取り付けられるかご内部品とを備え、前記かご内部品は、このかご内部品の裏側に配置され、前記開口部から前記側板の裏側に向って挿入されて前記側板部分に係止される係止部材を有するエレベータの乗かごにおいて、
前記かご内部品の裏側に設けられ、前記係止部材が取り付けられる取り付け部材を備え、
前記開口部の高さ寸法を前記取り付け部材の高さ寸法よりも大きく設定し、
前記取り付け部材の厚さ寸法を前記側板の厚さ寸法よりも大きく設定したことを特徴とするエレベータの乗かご。
【請求項２】
請求項１に記載のエレベータの乗かごにおいて、
前記係止部材は、係止ばねから成ることを特徴とするエレベータの乗かご。
【請求項３】
請求項２に記載のエレベータの乗かごにおいて、
前記取り付け部材の上端部と前記係止ばねの上端部とを、略同一高さ位置に設定したことを特徴とするエレベータの乗かご。
【請求項４】
請求項２に記載のエレベータの乗かごにおいて、
前記係止ばねの上端部の位置を、前記取り付け部材の上端部の位置よりも高く設定したことを特徴とするエレベータの乗かご。
【請求項５】
請求項１〜４のいずれか１項に記載のエレベータの乗かごにおいて、
前記かご内部品の裏側に設けられ、弾性部材から成る板部材を備えたことを特徴とするエレベータの乗かご。
【請求項６】
請求項１〜５のいずれか１項に記載のエレベータの乗かごにおいて、
前記かご内部品は、荷摺りから成ることを特徴とするエレベータの乗かご。
【発明の詳細な説明】
【技術分野】
【０００１】
本発明は、側板に取り付けられる荷摺り等のかご内部品を備えたエレベータの乗かごに関する。
【背景技術】
【０００２】
この種の従来技術として特許文献１に示されるものがある。この従来技術に係るエレベータの乗かごは、開口部を有する側板と、側板に取り付けられる手すり、鏡、荷摺り等のかご内部品とを備え、かご内部品は、このかご内部品の裏側に配置され、開口部から側板の裏側に向って挿入される係合機構、すなわち側板部分に係止される係止部材を有している。側板の裏側の開口部の下端部分には、係合機構の先端の突起部が係止される係止部を有する受け機構を備えている。係合機構及び受け機構のそれぞれは弾性を有し、この弾性力に抗して係合機構を受け機構に押し込むように挿入することにより、係合機構の突起部と受け機構の係止部とが係合して、かご内部品は側板に取り付けられる。また逆に、前述の弾性力に抗して係合機構を受け機構から手前に引き上げるようにして抜き出すことにより、係合機構の突起部と受け機構の係止部との係合が解かれて、かご内部品を側板から取り外せるようになっている。
【先行技術文献】
【特許文献】
【０００３】
【特許文献１】特開２０１１−３７５８９号公報
【発明の概要】
【発明が解決しようとする課題】
【０００４】
前述した従来技術は、係合機構と受け機構の弾性力を介してかご内部品を側板に取り付けるようにしてあることから、いたずら等によりかご内部品に前述の弾性力よりも大きい力が上向きに与えられると、係合機構と受け機構の係合が解かれて、かご内部品が側板から取り外されてしまう虞がある。すなわち従来技術は、側板に対する装着の安定性の点で問題があった。
【０００５】
本発明は、前述した従来技術における実情からなされたもので、その目的は、側板に取り付けられたかご内部品の悪戯等による取り外しを阻止することができるエレベータの乗かごを提供することにある。
【課題を解決するための手段】
【０００６】
前記目的を達成するために、本発明に係るエレベータの乗かごは、  開口部を有する側板と、前記側板に取り付けられるかご内部品とを備え、前記かご内部品は、このかご内部品の裏側に配置され、前記開口部から前記側板の裏側に向って挿入されて前記側板部分に係止される係止部材を有するエレベータの乗かごにおいて、前記かご内部品の裏側に設けられ、前記係止部材が取り付けられる取り付け部材を備え、前記開口部の高さ寸法を前記取り付け部材の高さ寸法よりも大きく設定し、前記取り付け部材の厚さ寸法を前記側板の厚さ寸法よりも大きく設定したことを特徴としている。
【発明の効果】
【０００７】
本発明に係るエレベータの乗かごは、側板に取り付けられたかご内部品を悪戯等で取り外そうとして引き上げたときには、かご内部品の裏側に設けられた取り付け部材の厚さ寸法が側板の厚さ寸法よりも大きく設定されていることから、取り付け部材が開口部の上端部を形成する側板の縁部に当たり、かご内部品を引き上げることができない。すなわち本発明は、かご内部品を側板に簡単には取り外せないように従来技術よりも堅固に装着させることができる。
【図面の簡単な説明】
【０００８】
【図１】本発明に係るエレベータの乗かごの第１実施形態を昇降路側から見た状態を示す斜視図である。
【図２】第１実施形態に係る乗かごを乗場側から見た状態を示す斜視図である。
【図３】第１実施形態に備えられる側板の要部を示す正面図である。
【図４】図３に示す側板にかご内部品を構成する荷摺りを取り付けた状態を示す正面図である。
【図５】第１実施形態に備えられる側板に荷摺りを取り付ける直前の状態を示す斜視図である。
【図６】第１実施形態に備えられる側板に荷摺りを取り付けた状態を示す要部側断面図である。
【図７】第１実施形態に備えられる側板に荷摺りを取り付ける手順を示す図で、（ａ）図は荷摺りを取り付ける直前の状態を示す要部側断面図、（ｂ）図は荷摺りを取り付けた状態を示す要部側断面図である。
【図８】第１実施形態に備えられる側板から荷摺りを取り外す手順を示す図で、（ａ）図は荷摺りを取り外す直前の状態を示す要部側断面図、（ｂ）図は荷摺りを取り外す際の第１手順を示す要部側断面図、（ｃ）図は荷摺りを取り外す際の第２手順を示す要部側断面図である。
【図９】本発明の第２実施形態に係る乗かごに備えられる側板と荷摺りを示す要部側断面図である。
【図１０】本発明の第３実施形態に係る乗かごに備えられる側板に荷摺りを取り付けた状態を示す要部側断面図である。
【発明を実施するための形態】
【０００９】
以下、本発明に係るエレベータの乗かごの実施の形態を図面に基づいて説明する。
【００１０】
図１，２に示すように、本発明の第１実施形態に係るエレベータの乗かごは、床１と、天井２と、これらの床１と天井２との間に配置される側壁を形成する側板３と、乗かごの乗客の乗降時に開閉するかごドア４とを備えている。
【００１１】
側板３の下側位置には、図４にも示すように、かご内部品、例えば荷台や車椅子等の搬入時に側板３を保護する荷摺り５を取り付けてある。
【００１２】
側板３には図３〜６に示すように、開口部３ａを形成してある。荷摺り５の裏側には、開口部３ａから側板３の裏側に向って挿入されて側板３部分に係止される係止部材、例えば係止ばね５ａを設けてある。
【００１３】
また、この第１実施形態は、図５，６に示すように、荷摺り５の裏側に設けられ、係止ばね５ａが取り付けられる取り付け部材５ｂを備えている。
【００１４】
図６に示すように、側板３の開口部３ａの高さ寸法は、取り付け部材５ｂの高さ寸法よりも大きく設定してあり、取り付け部材５ｂの厚さ寸法ｔ５は、側板３の厚さ寸法ｔ３よりも大きく設定してある。また、取り付け部材５ｂの上端部５ｂ１と係止ばね５ａの上端部５ａ１とを、略同一高さ位置に設定してある。
【００１５】
荷摺り５を側板３に取り付ける際には、図７の（ａ）図に示すように、荷摺り５の裏側に設けた係止ばね５ａを側板３の開口部３ａ内に挿入し、係止ばね５ａの下端を側板３の裏面に係合させた状態にする。この状態から荷摺り５を押し下げると、係止ばね５ａの下端が側板３の裏面上を下方に摺動し、荷摺り５の裏側に設けた取り付け部材５ｂと、係止ばね５ａの上側部分が側板３の開口部３ａ内に挿入する。これにより同図７の（ｂ）図に示すように、荷摺り５の裏面が側板３の表面に当接するようにして、係止ばね５ａの弾性力により荷摺り５が側板３に取り付けられる。
【００１６】
側板３に取り付けられていた荷摺り５を側板３から取り外す際には、図８の（ａ）図に示すように、荷摺り５を吸着可能な吸着部材６を活用する。この吸着部材６は荷摺り５を吸着する吸着部６ａと、この吸着部６ａに一体に設けた取っ手６ｂとを備えている。
【００１７】
取っ手６ｂを把持して同図８の（ｂ）図に示すように、吸着部６ａによって荷摺り５を吸着させ、第１手順として矢印Ａで示すように取り付け部材５ｂと係止ばね５ａの上側部分を側板３の開口部３ａから抜き出し、第２手順として矢印Ｂで示すように吸着部６ａによって吸着した荷摺り５を引き上げる。このようにして、荷摺り５を側板３から取り外すことができる。
【００１８】
このように構成した第１実施形態にあっては、側板３に取り付けられたかご内部品、例えば荷摺り５を悪戯等で取り外そうとして単に引き上げたときには、荷摺り５の裏側に設けられた取り付け部材５ｂの厚さ寸法ｔ５が側板３の厚さ寸法ｔ３よりも大きく設定されていることから、取り付け部材５ｂが開口部３ａの上端部を形成する側板３の縁部に当たり、荷摺り５を引き上げることができず、荷摺り５の取り外しを阻止することができる。すなわち、この第１実施形態によれば、荷摺り５を側板に簡単には取り外せないように堅固に装着させることができる。これにより、例えば荷摺り５の盗難も防止することができる。
【００１９】
また、この第１実施形態は、取り付け部材５ｂの上端部と係止ばね５ａの上端部とを略同一高さ位置に設定したことから、側板３に形成される開口部３ａの高さ寸法を、取り付け部材５ｂの高さ寸法よりも少し大きい程度の寸法にすれば済む。すなわち、高さ寸法を比較的抑えた小さめの開口部３ａとすることができる。
【００２０】
図９に示す側板３及び荷摺り５を備えた第２実施形態に係るエレベータの乗かご１は、第１実施形態の構成に加えて、荷摺り５の裏側に設けられ、弾性部材から成る板部材７を備えた構成にしてある。
【００２１】
このように構成した第２実施形態に係る乗かごによれば、第１実施形態におけるのと同様の作用効果が得られる他、荷摺り５が板部材７を介して側板３に当接するので、荷摺り５の表面に荷台等が接触して衝撃力が与えられた際などに、板部材７がクッションとなり、その衝撃力が緩和される。したがって、前述した衝撃力による側板３の損傷を防ぐことができる。
【００２２】
図１０に示す側板３及び荷摺り５を備えた第３実施形態に係るエレベータの乗かごは、係止ばね５ａの上端部５ａ２の位置を、取り付け部材５ｂの上端部５ｂ１の位置よりも高く設定した構成にしてある。その他の構成は第１実施形態と同等である。
【００２３】
このように構成した第３実施形態によれば、荷摺り５が側板５に取り付けられた状態において、悪戯等で荷摺り５を例えば水平方向に引っ張ったときには、係止ばね５ａの上端部５ａ２が側板３の裏面に係合することによって、荷摺り５を取り外すことができない。すなわち、悪戯等による荷摺り５の取り外しを確実に阻止することができる。
【００２４】
なお、前述した第１〜第３実施形態にあっては、側板３に取り付けられるかご内部品の一例として荷摺り５を挙げたが、本発明は、かご内部品が荷摺り５には限られない。すなわち本発明は、荷摺り５とは異なるかご内部品が取り付けられるエレベータの乗かごにも適用可能である。
【符号の説明】
【００２５】
１    床
２    天井
３    側板
３ａ  開口部
４    かごドア
５    荷摺り（かご内部品）
５ａ  係止ばね（係止部材）
５ａ１  上端部
５ａ２  上端部
５ｂ  取り付け部材
５ｂ１  上端部
６    吸着部材
６ａ  吸着部
６ｂ  取っ手
７    板部材
【図１】
2015137172.tif 000003
【図２】
2015137172.tif 000004
【図３】
2015137172.tif 000005
【図４】
2015137172.tif 000006
【図５】
2015137172.tif 000007
【図６】
2015137172.tif 000008
【図７】
2015137172.tif 000009
【図８】
2015137172.tif 000010
【図９】
2015137172.tif 000011
【図１０】
2015137172.tif 000012